(57)【特許請求の範囲】
【請求項１】
撮影方式としての３Ｄ方式での画像撮影が可能な撮影手段を備えた撮像装置であって、
表示方式としての３Ｄ方式及び２Ｄ方式での表示が可能な表示手段と、
当該撮像装置が両手で持たれているか片手で持たれているかに応じてその保持状態を判別する判別手段と、
前記撮影手段による３Ｄ方式での画像撮影時に、前記判別手段によって判別された保持状態に応じて前記表示手段の表示方式として３Ｄ方式と２Ｄ方式との切り替えを制御する制御手段と、
を具備したことを特徴とする撮像装置。
【請求項２】
撮影方式としての３Ｄ方式及び２Ｄ方式での画像撮影が可能な撮影手段を備えた撮像装置であって、
当該撮像装置の保持状態を判別する判別手段と、
この判別手段によって判別された保持状態に応じて前記撮影手段の撮影方式として３Ｄ方式と２Ｄ方式との切り替えを制御する制御手段と、
を具備したことを特徴とする撮像装置。
【請求項３】
前記制御手段は、前記撮影手段の撮影方式として３Ｄ方式での撮影が設定されている場合であっても、前記判別手段によって判別された保持状態によっては２Ｄ方式による撮影に切り替える、
ようにしたことを特徴とする請求項２記載の撮像装置。
【請求項４】
前記判別手段は、当該撮像装置が両手で持たれているか片手で持たれているかに応じて保持状態を判別する、
ようにしたことを特徴とする請求項２記載の撮像装置。
【請求項５】
前記判別手段は、当該撮像装置が固定して保持されているか否かによって保持状態を判別する、
ようにしたことを特徴とする請求項２記載の撮像装置。
【請求項６】
コンピュータに対して、
撮影方式としての３Ｄ方式での画像撮影を行う機能と、
撮像装置が両手で持たれているか片手で持たれているかに応じてその保持状態を判別する機能と、
前記３Ｄ方式での画像撮影時に、前記判別された保持状態に応じて表示手段の表示方式として３Ｄ方式と２Ｄ方式との切り替えを制御する機能と、
を実現させるためのプログラム。
【請求項７】
コンピュータに対して、
撮影方式として３Ｄ方式及び２Ｄ方式での画像撮影を行う機能と、
撮像装置の保持状態を判別する機能と、
前記判別された保持状態に応じて前記撮影方式として３Ｄ方式と２Ｄ方式との切り替えを制御する機能と、
を実現させるためのプログラム。
【発明の詳細な説明】
【技術分野】
【０００１】
本発明は、３Ｄ方式による画像撮影が可能な撮影手段を備えた撮像装置及びプログラムに関する。
【背景技術】
【０００２】
従来、平面状の表示部に画像（静止画、動画）などの表示情報を３Ｄ（三次元）表示する技術としては、例えば、互いに少しずらした右目用の表示情報と左目用の表示情報を同時に表示させる際に、右眼用の表示情報は右眼で見えて左眼では見えないようにし、左眼用の表示情報は左眼で見えて右眼では見えないようにするために光の経路を遮断する視差バリアを適切な位置に配置することによって静止画、動画などの表示情報を立体に見せるようにした技術がある。
また、３Ｄ撮影が可能なカメラ装置としては、所定間隔をあけて２台のカメラを配置し、同一の被写体を同時に撮影することによって右眼用の画像と左眼用の画像を個々に再生することによって立体映像を得るようにした技術がある。この場合、３Ｄ静止画像と２Ｄ静止画像の撮影が可能とした技術が知られている（特許文献１参照）。
【先行技術文献】
【特許文献】
【０００３】
【特許文献１】特開平８−３１７４２５号公報
【発明の概要】
【発明が解決しようとする課題】
【０００４】
このように、上述した先行技術にあっては、視差を利用して立体映像を得るようにしているため、３Ｄ方式による画像撮影が可能な撮影手段を備えた撮像装置で３Ｄ方式による画像撮影を行う場合には、その装置本体を安定した状態で保持する必要があるが、例えば、片手持ちなどのような不安定な持ち方では、良好な立体映像を得ることができなくなる。
【０００５】
本発明の課題は、装置本体の保持状態に応じて３Ｄ画像と２Ｄ画像との切り替えを実現できるようにすることである。
【課題を解決するための手段】
【０００６】
上述した課題を解決するために請求項１記載の発明は、
撮影方式としての３Ｄ方式での画像撮影が可能な撮影手段を備えた撮像装置であって、
表示方式としての３Ｄ方式及び２Ｄ方式での表示が可能な表示手段と、
当該撮像装置が両手で持たれているか片手で持たれているかに応じてその保持状態を判別する判別手段と、
前記撮影手段による３Ｄ方式での画像撮影時に、前記判別手段によって判別された保持状態に応じて前記表示手段の表示方式として３Ｄ方式と２Ｄ方式との切り替えを制御する制御手段と、
を具備したことを特徴とする。
【０００９】
また、上述した課題を解決するために請求項２記載の発明は、
撮影方式としての３Ｄ方式及び２Ｄ方式での画像撮影が可能な撮影手段を備えた撮像装置であって、
当該撮像装置の保持状態を判別する判別手段と、
この判別手段によって判別された保持状態に応じて前記撮影手段の撮影方式として３Ｄ方式と２Ｄ方式との切り替えを制御する制御手段と、
を具備したことを特徴とする。
【００１０】
請求項２に従属する発明として、
前記制御手段は、前記撮影手段の撮影方式として３Ｄ方式での撮影が設定されている場合であっても、前記判別手段によって判別された保持状態によっては２Ｄ方式による撮影に切り替える、
ようにしたことを特徴とする請求項３記載の発明であってもよい。
【００１１】
請求項２に従属する発明として、
前記判別手段は、当該撮像装置が両手で持たれているか片手で持たれているかに応じて保持状態を判別する、
ようにしたことを特徴とする請求項４記載の発明であってもよい。
【００１２】
請求項２に従属する発明として、
前記判別手段は、当該撮像装置が固定して保持されているか否かによって保持状態を判別する、
ようにしたことを特徴とする請求項５記載の発明であってもよい。
【００１３】
また、上述した課題を解決するために請求項６記載の発明は、
コンピュータに対して、
撮影方式としての３Ｄ方式での画像撮影を行う機能と、
撮像装置が両手で持たれているか片手で持たれているかに応じてその保持状態を判別する機能と、
前記３Ｄ方式での画像撮影時に、前記判別された保持状態に応じて表示手段の表示方式として３Ｄ方式と２Ｄ方式との切り替えを制御する機能と、
を実現させるためのプログラムを特徴とする。
【００１４】
また、上述した課題を解決するために請求項７記載の発明は、
コンピュータに対して、
撮影方式として３Ｄ方式及び２Ｄ方式での画像撮影を行う機能と、
撮像装置の保持状態を判別する機能と、
前記判別された保持状態に応じて前記撮影方式として３Ｄ方式と２Ｄ方式との切り替えを制御する機能と、
を実現させるためのプログラムを特徴とする。
【発明の効果】
【００１５】
本発明によれば、装置本体の保持状態に応じて３Ｄ画像と２Ｄ画像との切り替えを実現することができ、実情に即したものとなる。
【図面の簡単な説明】
【００１６】
【図１】撮像装置（デジタルカメラ装置）の基本的な構成要素を示したブロック図。
【図２】（１）〜（３）は、接触センサ７によって検出される撮像装置の保持状態を説明するための図。
【図３】安定度フラグＦを説明するための図。
【図４】電源投入に応じて実行開始される撮像装置の全体動作のうち、本実施形態の特徴部分の動作概要を示したフローチャート。
【図５】保持状態判別処理（図４のステップＡ４、図６のステップＣ４）を詳述するためのフローチャート。
【図６】第２実施形態において、電源投入に応じて実行開始される撮像装置の全体動作のうち、本実施形態の特徴部分の動作概要を示したフローチャート。
【発明を実施するための形態】
【００１７】
（実施形態１）
【００１８】
以下、図１〜図５を参照して本発明の第１実施形態を説明する。
本実施形態は、撮像装置（デジタルカメラ装置）の基本的な構成要素を示したブロック図である。
撮像装置は、デジタルカメラ装置を構成するもので、制御部１は、二次電池を備えた電源部２からの電力供給によって動作し、記憶部３内の各種のプログラムに応じてこの撮像装置の全体動作を制御するもので、この制御部１にはＣＰＵ（中央演算処理装置）やメモリなどが設けられている。記憶部３は、ＲＯＭ、ＲＡＭなどの内部メモリで、プログラム領域とデータ領域とを有し、このプログラム領域には、後述する図４及び図５に示す動作手順に応じて本実施形態を実現するためのプログラムが格納されている。また、記憶部３のデータ領域には、フラグ情報（後述する安定度フラグＦなど）、タイマ情報、この撮像装置の動作に必要な各種の情報が一時記憶されているほか、撮影された画像を記録保存するようにしている。
【００１９】
操作部４は、シャッターキー、再生キーなど、各種の押し釦式のキーを備え、制御部１は、操作部４からの操作信号に応じた処理を行う。表示部５は、例えば、高精細液晶あるいは有機ＥＬを使用し、モニタ画像や保存画像などを表示するもので、表示方式としての３Ｄ方式及び２Ｄ方式での表示が可能となっている。すなわち、表示部５には、視差バリア（図示省略）を生成するための液晶の層が形成可能となっており、３Ｄ方式による表示時には視差バリアを生成し、２Ｄ方式による表示時には視差バリアを消去することによって表示方式を３Ｄ方式と２Ｄ方式とに切り替え可能となっている。
【００２０】
撮像部６は、デジタルカメラを構成する構成要素で、撮像素子（例えば、ＣＣＤあるいはＣＭＯＳ）を有し、静止画撮影のほかに動画撮影も可能となっている。そして、撮像部６は、撮影レンズ、ミラーなどのレンズ・ミラーブロック、照明用のフラッシュ、それらの駆動系のほか、測距センサ、光量センサ、アナログ処理回路、信号処理回路、圧縮伸張回路などを備え、光学ズームを調整制御したり、オートフォーカス時の駆動制御、シャッター駆動制御、露出、ホワイトバランスなどを制御したりする。また、撮像部６は、被写体に応じて望遠／広角の切り替えができる２焦点式レンズやズームレンズを備え、焦点距離を可変する画角変更機構を作動させて望遠／広角やズーム撮影を行うようにしている。
【００２１】
更に、撮像部６は、撮影方式としての３Ｄ方式及び２Ｄ方式での画像撮影が可能、つまり、２Ｄ静止画撮影／２Ｄ動画撮影のほか、３Ｄ静止画撮影／３Ｄ動画撮影が可能なもので、３Ｄ静止画撮影／３Ｄ動画撮影用として、所定間隔を空けて左眼用のカメラ部６Ａと右眼用のカメラ部６Ｂが備えられている。３Ｄ静止画撮影／３Ｄ動画撮影時には、左眼用のカメラ部６Ａ及び右眼用のカメラ部６Ｂをそれぞれ駆動して同一の被写体を同時に撮影するようにしているが、２Ｄ静止画撮影／２Ｄ動画撮影時には、左眼用のカメラ部６Ａ、右眼用のカメラ部６Ｂのいずれか一方を駆動して２Ｄ撮影を行うようにしている。なお、左眼用のカメラ部６Ａ、右眼用のカメラ部６Ｂは、その構成要素の一部分を共用するようにしてもよい。
【００２２】
接触センサ７は、撮像装置の保持状態を検出するセンサで、撮像装置を構成する装置本体（全体が長方形の筐体）の左右両側部（横長方向両側部）には、接触センサ７がそれぞれ配設されている。すなわち、筐体の左側面部には、左側部接触センサ７が配設され、筐体の右側面部には、右側部接触センサ７が配設されている。この場合、左右両側部の接触センサ７は、筐体の両端部を覆うように形成された断面コ字型状の板部材であるが、平板状を成すものであってもよい。つまり、撮像装置をユーザが片手あるいは両手で保持した際に、その指や掌が接触可能となる形状であれば、その形状は任意である。また、筐体の下側部（底部）には、底部接触センサ７が配設されている。ここで、両側部接触センサ７は、人体接触を検出する静電容量型のタッチセンサであるのに対し、底部接触センサ７は、撮像装置が机上などに載置された際の自重を検出する感圧型のタッチセンサである。
【００２３】
図２は、接触センサ７によって検出される撮像装置の保持状態を説明するための図である。
図２（１）は、全体が長方形の筐体が横長状となる状態において両手で筐体の左右両側部（横長方向両側部）を持って撮影を行う場合を示した図である。この場合、表示部５の左右近傍に配設されている左側部接触センサ７にはユーザの左手親指が接触し、右側部接触センサ７にはユーザの右手親指が接触するようになるため、制御部１は、左側部接触センサ７と右側部接触センサ７とが同時に人体に接触したことを検出した際に、両手で筐体が持たれていると判断する。
【００２４】
図２（２）は、筐体が横長状となる状態において筐体の底部を机などのテーブル上に載置して撮影を行う場合を示した図である。この場合、表示部５の下側近傍に配設されている底部接触センサ７がテーブル面に接触するようになるため、制御部１は、底部接触センサ７が接触を検出した際に、筐体がテーブル面に載置されて固定的に保持されていると判断する。なお、テーブル上に載置する場合に限らず、専用の三脚などに設置した場合であっても固定的に保持されていると判断する。図２（３）は、筐体が横長状となる状態において片手で筐体の右両側部（横長方向右側部）を持って撮影を行う場合を示した図である。この場合、表示部５の右近傍に配設されている右側部接触センサ７には右手親指が接触するようになるため、制御部１は、右側部接触センサ７に人体が接触したことを検出した際に、片手（右手）で筐体が持たれていると判断する。
【００２５】
図３は、安定度フラグＦを説明するための図である。
この安定度フラグＦは、筐体が安定して保持されているか否かを示すフラグで、図２（１）に示したように筐体が両手で持たれている場合、あるいは図２（２）に示したように筐体がテーブル上に載置されたり、三脚などに設置されたりしている場合には、筐体が安定した状態で保持されているため、安定度フラグＦは、“１”となるが、図２（３）に示したように筐体が片手で持たれている場合には、筐体が不安定な状態で保持されているため、安定度フラグＦは、“１”となる。制御部１は、この安定度フラグＦを参照し、筐体の保持状態に応じて表示部５の表示方式として３Ｄ方式と２Ｄ方式との切り替えを制御するようにしている。
【００２６】
次に、第１実施形態における撮像装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２７】
図４は、電源投入に応じて実行開始される撮像装置の全体動作のうち、本実施形態の特徴部分の動作概要を示したフローチャートである。
先ず、制御部１は、電源投入操作に応じて所定のメモリをクリアするなどの初期設定を行った後（ステップＡ１）、３Ｄ静止画撮影あるいは３Ｄ動画撮影の開始を指示する操作（シャッタ操作）が行われたかを調べたり（ステップＡ２）、その他の操作が行われたかを調べたりする（ステップＡ１４）。ここで、その他の操作が行われたときには（ステップＡ１４でＹＥＳ）、その操作に応じた処理に移る（ステップＡ１５）。例えば、２Ｄ静止画撮影あるいは２Ｄ動画撮影の開始を指示するシャッタ操作が行われたときには、撮像部６を構成する左眼用のカメラ部６Ａ、右眼用のカメラ部６Ｂのいずれか一方を駆動して２Ｄ静止画撮影あるいは２Ｄ動画撮影を行い、また、画像保存を指示する操作、ズーム調整操作、望遠／広角の切替操作などが行われたときには、その操作に応じて撮影画像を記録保存する処理、ズーム調整処理、望遠／広角切替処理などを行う。
【００２８】
いま、３Ｄ静止画撮影／３Ｄ動画撮影の開始を指示するシャッタ操作が行われたときには（ステップＡ２でＹＥＳ）、３Ｄ静止画／動画撮影処理に移り、撮像部６を構成する左眼用のカメラ部６Ａ及び右眼用のカメラ部６Ｂをそれぞれ駆動し、同一の被写体を同時に撮影した左眼用の画像と右眼用の画像とを取得して、３Ｄ画像として一時記憶した後（ステップＡ３）、筐体の保持状態を判別する処理に移る（ステップＡ４）。
【００２９】
図５は、保持状態判別処理（図４のステップＡ４）を詳述するためのフローチャートである。
先ず、制御部１は、筐体の下側部（底部）に配設されている底部接触センサ７が接触を検出したかを調べたり（ステップＢ１）、筐体の左右両側部に配設されている両側部接触センサ７が接触をそれぞれ検出したかを調べたり（ステップＢ２）、両側部接触センサ７のいずれか一方が接触を検出したかを調べたりする（ステップＢ３）。
【００３０】
いま、底部接触センサ７が接触を検出した場合には（ステップＢ１でＹＥＳ）、筐体がテーブル上に載置されたり、三脚などに設置されたりして筐体が安定した状態で保持されていると判断し、また、両側部接触センサ７が接触をそれぞれ検出した場合には（ステップＢ２でＹＥＳ）、筐体が両手で持たれていて安定した状態で保持されていると判断して、安定度フラグＦを“１”にする（ステップＢ４）。また、両側部接触センサ７のいずれか一方が接触を検出した場合には（ステップＢ３でＹＥＳ）、筐体が片手で持たれていて不安定な状態で保持されていると判断して、安定度フラグＦを“０”にする（ステップＢ５）。
【００３１】
このような保持状態判別処理（図４のステップＡ４）が終わると、次のステップＡ５に移り、安定度フラグＦは“１”であるかを調べる。いま、安定度フラグＦが“１”で、筐体が安定して保持されていると判断した場合には（ステップＡ５でＹＥＳ）、表示部５に視差バリアが生成されているかを調べ（ステップＡ６）、視差バリアが生成されていなければ（ステップＡ６でＮＯ）、表示部５に視差バリアを生成させた後（ステップＡ７）、同一の被写体を同時に撮影した左眼用の画像と右眼用の画像を表示部５に３Ｄ方式で表示させる（ステップＡ８）。
【００３２】
また、安定度フラグＦが“０”で、筐体が不安定な状態で保持されている場合（片手持ちされている場合）には（ステップＡ５でＮＯ）、表示部５に視差バリアが生成されているかを調べ（ステップＡ９）、視差バリアが生成されていれば（ステップＡ９でＹＥＳ）、表示部５から視差バリアを消去した後（ステップＡ１０）、左眼用の画像と右眼用の画像を表示部５に２Ｄ方式で表示させる（ステップＡ１１）。そして、今回の撮影は３Ｄ静止画撮影であるかを調べ（ステップＡ１２）、静止画撮影であれば（ステップＡ１２でＹＥＳ）、３Ｄ静止画撮影／３Ｄ動画撮影のシャッタ操作の有無をチェックするステップＡ２に戻る。
【００３３】
また、今回の撮影が３Ｄ動画撮影であれば（ステップＡ１２でＮＯ）、３Ｄ動画撮影の終了を指示する操作が行われたかを調べる（ステップＡ１３）。ここで、終了操作が行われなければ（ステップＡ１３でＮＯ）、上述の撮影処理（ステップＡ３）に戻る。以下、同様に、３Ｄ動画撮影を行いながら筐体の保持状態を判別すると共に、撮影画像を保持状態に応じて３Ｄ表示あるいは２Ｄ表示させる動作を終了操作が行われるまで継続する（ステップＡ３〜Ａ１３）。
【００３４】
以上のように、第１実施形態において制御部１は、装置本体（筐体）の保持状態を判別し、この保持状態に応じて表示部５の表示方式として３Ｄ方式と２Ｄ方式との切り替えを行うようにしたので、安定して保持されている場合には集中して撮影しているとみなして、視差利用のために安定した保持が必要な３Ｄ方式での表示に切り替え、そうでない場合には気軽な撮影であるとみなして、２Ｄ方式での表示に適切に切り替えることができ、実情に即したものとなる。
【００３５】
接触センサ７の検出結果を参照し、筐体が両手で持たれているか片手で持たれているかに応じて保持状態を判別するようにしたので、安定して保持されているか否かを容易に判別することができる。
【００３６】
撮像装置が固定して保持されているか否かによって保持状態を判別するようにしたので、撮影時に机などのテーブル上に載置させている、三脚などを使用している安定な状態であるか否かを容易に判別することができる。
【００３７】
（実施形態２）
以下、この発明の第２実施形態について図６を参照して説明する。
なお、上述した第１実施形態においては、３Ｄ静止画あるいは動画の撮影時に、筐体の保持状態が安定している場合には３Ｄ方式での表示を行い、不安定な場合には２Ｄ方式での表示に切り替えるようにしたが、この第２実施形態においては、３Ｄ撮影を行う３Ｄ撮影モードに設定されている場合であっても、筐体の保持状態が安定している場合には３Ｄ方式での撮影を行うが、不安定な場合には２Ｄ方式での撮影に切り替えるようにしたものである。ここで、両実施形態において基本的あるいは名称的に同一のものは、同一符号を付して示し、その説明を省略すると共に、以下、第２実施形態の特徴部分を中心に説明するものとする。
【００３８】
図６は、第２実施形態において、電源投入に応じて実行開始される撮像装置の全体動作のうち、本実施形態の特徴部分の動作概要を示したフローチャートである。
先ず、制御部１は、電源投入操作に応じて所定のメモリをクリアするなどの初期設定を行った後（ステップＣ１）、静止画撮影あるいは動画撮影の開始を指示する操作（シャッタ操作）が行われたかを調べたり（ステップＣ２）、その他の操作が行われたかを調べたりする（ステップＣ１３）。ここで、その他の操作が行われたときには（ステップＣ１３でＹＥＳ）、上述した第１実施形態と同様に、その操作に応じた処理として、例えば、画像保存を指示する操作、ズーム調整操作、望遠／広角の切替操作などが行われたときには、その操作に応じて撮影画像を記録保存する処理、ズーム調整処理、望遠／広角切替処理などを行う（ステップＣ１４）。
【００３９】
いま、静止画撮影／動画撮影の開始を指示するシャッタ操作が行われたときには（ステップＣ２でＹＥＳ）、現在選択されている撮影モード（撮影方式）は、３Ｄ撮影モードであるかを調べる（ステップＣ３）。この３Ｄ撮影モードは、３Ｄ静止画撮影／３Ｄ動画撮影を行うために予めユーザ選択された撮影モードで、２Ｄ静止画撮影／２Ｄ動画撮影を行う撮影モード（２Ｄ撮影モード）に設定されている場合には（ステップＣ３でＮＯ）、２Ｄ方式での撮影、つまり、左眼用のカメラ部６Ａ、右眼用のカメラ部６Ｂのいずれか一方を駆動して２Ｄ静止画撮影あるいは２Ｄ動画撮影を行う（ステップＣ１０）。
【００４０】
そして、今回の撮影は２Ｄ静止画撮影であるかを調べ（ステップＣ１１）、静止画撮影であれば（ステップＣ１１でＹＥＳ）、静止画撮影／動画撮影のシャッタ操作の有無をチェックするステップＣ２に戻るが、今回の撮影が２Ｄ動画撮影であれば（ステップＣ１１でＮＯ）、３Ｄ動画撮影の終了を指示する操作が行われたかを調べる（ステップＣ１２）。ここで、終了操作が行われるまで（ステップＣ１２でＹＥＳ）、上述のステップＣ１０に戻り、２Ｄ方式での撮影処理を行う。
【００４１】
また、シャッタ操作時に３Ｄ静止画撮影／３Ｄ動画撮影を行う撮影モード（３Ｄ撮影モード）に設定されている場合には（ステップＣ３でＹＥＳ）、筐体の保持状態を判別する処理に移る（ステップＣ４）。この保持状態判別処理も、上述した第１実施形態と同様に、図５のフローチャートに応じた処理を実行するもので、筐体の保持状態が安定している場合（両手持ち、テーブル載置、三脚使用などの場合）には、安定度フラグＦを“１”とし、筐体の保持状態が不安定な場合（片手持ちの場合）には、安定度フラグＦを“１”とする。
【００４２】
このような保持状態判別処理が終わると、次のステップＣ５に移り、安定度フラグＦは“１”であるかを調べる。いま、安定度フラグＦが“１”、つまり、筐体が安定して保持されていると判断した場合には（ステップＣ５でＹＥＳ）、３Ｄ方式での撮影、つまり、左眼用のカメラ部６Ａと右眼用のカメラ部６Ｂをそれぞれ駆動して３Ｄ静止画撮影あるいは３Ｄ動画撮影を行う（ステップＣ６）。また、安定度フラグＦが“０”、つまり、筐体が不安定な状態で保持されていると判断した場合には（ステップＣ５でＮＯ）、２Ｄ方式での撮影、つまり、左眼用のカメラ部６Ａ、右眼用のカメラ部６Ｂのいずれか一方を駆動して２Ｄ静止画撮影あるいは２Ｄ動画撮影を行う（ステップＣ７）。
【００４３】
そして、今回の撮影は３Ｄ／２Ｄ静止画撮影であるかを調べ（ステップＣ８）、静止画撮影であれば（ステップＣ８でＹＥＳ）、静止画撮影／動画撮影のシャッタ操作の有無をチェックするステップＣ２に戻るが、今回の撮影が３Ｄ／２Ｄ動画撮影であれば（ステップＣ８でＮＯ）、３Ｄ／２Ｄ動画撮影の終了を指示する操作が行われたかを調べる（ステップＣ９）。ここで、終了操作が行われるまで（ステップＣ９でＹＥＳ）、上述のステップＣ４に戻り、保持状態を判別しながらその判別結果に応じて３Ｄ方式／２Ｄ方式での撮影を行う（ステップＣ４〜Ｃ９）。
【００４４】
以上のように、この第２実施形態においては、筐体の保持状態に応じて撮影方式として３Ｄ方式と２Ｄ方式とを切り替えるようにしたので、安定して保持されている場合には集中して撮影しているとみなして、視差利用のために安定した保持が必要な３Ｄ方式での表示となる撮影に切り替え、そうでない場合には気軽な撮影であるとみなして、２Ｄ方式での表示となる撮影に適切に切り替えることができ、実情に即したものとなる。
【００４５】
３Ｄ撮影モードに設定されている場合であっても、筐体の保持状態が不安定な場合には２Ｄ方式での撮影に切り替えるようにしたので、筐体の保持状態を３Ｄ撮影モードよりも優先することができる。
【００４６】
接触センサ７の検出結果を参照し、筐体が両手で持たれているか片手で持たれているかに応じて保持状態を判別するようにしたので、安定して保持されているか否かを容易に判別することができる。
【００４７】
撮像装置が固定して保持されているか否かによって保持状態を判別するようにしたので、撮影時に机などのテーブル上に載置させている、三脚などを使用している安定な状態であるか否かを容易に判別することができる。
【００４８】
なお、上述した各実施形態においては、接触センサ７によって筐体の保持状態を検出するようにしたが、接触センサ７に限らず、機械的なスイッチ、温度センタ、赤外線センサなどによって筐体の保持状態を検出するようにしてもよい。
【００４９】
上述した各実施形態においては、撮像装置としてデジタルカメラ装置を例示したが、これに限らず、例えば、カメラ機能付きのＰＤＡ・携帯電話機・音楽プレイヤー、それらの複合機などであってもよい。
【００５０】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００５１】
１  制御部
３  記憶部
４  操作部
５  表示部
６  撮影部
６Ａ  左眼用のカメラ部
６Ｂ  右眼用のカメラ部
７  接触センサ
Ｆ  安定度フラグ
【図１】
0005419148.tif 000002
【図２】
0005419148.tif 000003
【図３】
0005419148.tif 000004
【図４】
0005419148.tif 000005
【図５】
0005419148.tif 000006
【図６】
0005419148.tif 000007